(57)【要約】【課題】眼鏡の電池容量の検知により更に利便性を高めることができる映像再生装置及び映像再生方法を提供する。【解決手段】入力された立体視用の映像信号に立体視映像表示に対応する信号処理を施す処理手段と、立体視用眼鏡のバッテリー持続時間が前記映像信号の元となるコンテンツの再生時間より少ないと判定したとき、前記処理手段で信号処理の施された映像信号の出力を停止しバッテリー交換またはバッテリー充電を求める警告表示を行なう制御手段とを具備する映像再生装置。【選択図】  図３
2012034234.tif 000002
【特許請求の範囲】
【請求項１】
入力された立体視用の映像信号に立体視映像表示に対応する信号処理を施す処理手段と、
立体視用眼鏡のバッテリー持続時間が前記映像信号の元となるコンテンツの再生時間より少ないと判定したとき、前記処理手段で信号処理の施された映像信号の出力を停止しバッテリー交換またはバッテリー充電を求める警告表示を行なう制御手段とを
具備する映像再生装置。
【請求項２】
前記制御手段は、前記警告表示が行われたのちにバッテリー交換またはバッテリー充電が行なわれたと判定したとき、前記映像信号の出力を再開する請求項１に記載の映像再生装置。
【請求項３】
入力された立体視用の映像信号に立体視映像表示に対応する信号処理を施す第１の処理手段と、
入力された立体視用の映像信号を２次元表示用の映像信号に変換して２次元映像表示に対応する信号処理を施す第２の処理手段と、
立体視用眼鏡の電池蓄電量が低下した旨を示す検出信号を受信したとき前記第１の処理手段で信号処理の施された映像信号の出力を停止することと、前記第１の処理手段で信号処理の施された映像信号に代えて、前記第２の処理手段で信号処理の施された映像信号を出力することとのいずれか一方を行ない、前記立体視用眼鏡の電池蓄電量が低下していない旨を示す検出信号を受信したとき前記第１の処理手段で信号処理の施された映像信号を出力することを行なう制御手段とを
具備する映像再生装置。
【請求項４】
入力された立体視用の映像信号に立体視映像表示に対応する信号処理を施す処理手段と、
立体視用眼鏡の電池蓄電量が低下した旨を示す検出信号を受信したとき、前記処理手段で信号処理の施された映像信号の出力に代えて、この映像信号のタイムシフト録画を開始する制御手段とを
具備する映像再生装置。
【請求項５】
入力された立体視用の映像信号に立体視映像表示に対応する信号処理を施し、
立体視用眼鏡のバッテリー持続時間が前記映像信号の元となるコンテンツの再生時間より少ないと判定したとき、前記信号処理の施された映像信号の出力を停止しバッテリー交換またはバッテリー充電を求める警告表示を行なう映像再生方法。
【発明の詳細な説明】
【技術分野】
【０００１】
本発明の実施形態は、３次元映像の再生を制御する映像再生装置及び映像再生方法に関する。
【背景技術】
【０００２】
周知のように従来より、平面的な映像表示画面を用いてユーザに立体感のある映像を認識させる技術の開発が進められている。この技術は、相互に人間の両目の間隔に対応した視差を有する２種類の映像を用意し、右目用映像をユーザの右目に視認させ、左目用映像をユーザの左目に視認させることにより立体視を行なうものである。
【０００３】
具体的には、右目用映像と左目用映像とを同一の映像表示画面に交互に表示させ、ユーザの装着した立体視用眼鏡に対して、右目用映像が表示されているとき左目のシャッタを閉じ、左目用映像が表示されているとき右目のシャッタを閉じるように制御することにより、ユーザに立体視映像を認識させる技術が存在している。
【０００４】
ところで、このような立体視映像の再生技術は、現在、実用化される程度にまで高水準なレベルに到達してきている。このため、今後は、より現実的な立体視映像をユーザに認識させるための技術開発だけでなく、ユーザにとっての取り扱いを便利にして実用化を促進させるための開発を行なうことが重要な課題となっている。
【０００５】
例えば特許文献１には、３次元映像視聴用の眼鏡の電池容量を検知して表示の判定に用いる技術が開示されている。ただし眼鏡の電池容量（蓄電量）の検知においては更なる利便性の要望があるが、かかる要望を実現するための手段は知られていない。
【先行技術文献】
【特許文献】
【０００６】
【特許文献１】特開２００８−３０６４２６号公報
【発明の概要】
【発明が解決しようとする課題】
【０００７】
本発明は、眼鏡の電池容量の検知により更に利便性を高めることができる映像再生装置及び映像再生方法を提供することを目的とする。
【課題を解決するための手段】
【０００８】
上記課題を解決するために、実施形態によれば映像再生装置は、入力された立体視用の映像信号に立体視映像表示に対応する信号処理を施す処理手段と、立体視用眼鏡のバッテリー持続時間が前記映像信号の元となるコンテンツの再生時間より少ないと判定したとき、前記処理手段で信号処理の施された映像信号の出力を停止しバッテリー交換またはバッテリー充電を求める警告表示を行なう制御手段とを具備する。
【図面の簡単な説明】
【０００９】
【図１】この発明の実施の形態を示すもので、立体視映像再生システムを概略的に説明するために示すブロック構成図。
【図２】同実施の形態における立体視映像再生システムを構成するデジタル放送受信装置の信号処理系を説明するために示すブロック構成図。
【図３】同実施形態に用いられるフローチャート(電池容量の検知)。
【図４】同実施形態に用いられるフローチャート(3D映像一時停止)。
【図５】同実施形態に用いられるフローチャート(3D/2D切り替え)。
【図６】同実施形態に用いられるフローチャート(タイムシフト録画)。
【図７】同他の形態におけるデジタル放送受信装置の映像出力部の一例を説明するために示すブロック構成図。
【図８】同実施の形態における映像出力部での立体視用の映像信号の具体的な処理動作を説明するために示す図。
【発明を実施するための形態】
【００１０】
以下、本発明の実施形態を説明する。
（第１の実施形態）
本発明による第１の実施形態を図１乃至図６を参照して説明する。
本実施形態においては、3次元(3D)映像の表示を3Dメガネを利用して行うシステムを想定している。3Dメガネは左右の映像を液晶シャッター制御を行うことにより左目には左の映像、右目には右の映像を表示することが可能となっている。また、本実施形態における3Dメガネとしては、本3Dメガネ駆動用のバッテリー(電池、一次電池/二次電池を問わない)が使用されていることを前提とする。また、本3Dメガネのバッテリーのステータス（電池の電圧、あるいは容量等の情報）を検知（チャージディテクション）し、システムに伝達する手段を持つものとする。
【００１１】
図１は、この実施の形態で説明する立体視映像再生システムの概略を示している。この立体視映像再生システムは、立体視映像再生機器としてのデジタルテレビジョン放送受信装置１１と、このデジタルテレビジョン放送受信装置１１の表示映像から立体視映像を認識するための立体視用眼鏡１２とを備えている。
【００１２】
このうち、デジタルテレビジョン放送受信装置１１は、薄型のキャビネット１３と、このキャビネット１３を支持する支持台１４とから構成されている。そして、上記キャビネット１３には、その正面中央部に映像表示部としての液晶表示パネル１５が配置されている。また、このキャビネット１３には、その両側面にそれぞれスピーカ１６，１６が配置されて、ステレオ音声再生が行なえるようになっている。
【００１３】
さらに、このキャビネット１３には、その正面下部に、主電源スイッチ１７ａを含む操作部１７と、リモートコントローラ１８から送信される操作情報を受信するための受光部１９とが配置されている。なお、上記支持台１４は、キャビネット１３の底面中央部に回動自在に連結されるもので、所定の基台２０の水平面上に載置された状態で、キャビネット１３を起立させて支持するように構成されている。
【００１４】
ここで、上記デジタルテレビジョン放送受信装置１１は、立体視用として放送される映像信号を受信した場合、その受信した映像信号に基づいて右目用映像信号と左目用映像信号とをそれぞれ生成して、液晶表示パネル１５に右目用映像と左目用映像とを交互に映像表示する。
【００１５】
また、このデジタルテレビジョン放送受信装置１１は、右目用映像を映像表示している期間と、左目用映像を映像表示している期間とをそれぞれ示すシャッタ制御信号ＳＣを生成し、上記立体視用眼鏡１２に出力している。
【００１６】
そして、上記立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１７】
また、上記立体視用眼鏡１２は、バッテリー切れを起こしているか否か、つまり、蓄電量を検出するための蓄電量検出部２１を備えている。そして、この蓄電量検出部２１から出力される蓄電量検出信号ＣＤ（チャージディテクション）は、デジタルテレビジョン放送受信装置１１に供給されている。
【００１８】
このデジタルテレビジョン放送受信装置１１は、蓄電量検出信号ＣＤが正常なとき、液晶表示パネル１５に右目用映像と左目用映像とを交互に映像表示して立体視映像表示を実行する。
【００１９】
また、このデジタルテレビジョン放送受信装置１１は、蓄電量検出信号ＣＤが正常でないとき例えば、受信した立体視用の映像信号を通常の２次元表示用の映像信号に変換し、その２次元表示用の映像信号を液晶表示パネル１５に映像表示させるように動作する。
【００２０】
図2は本実施形態における主なブロック構成図である。図2の上半分が一般的な、デジタル放送受信機器のブロック図である。本受信機器では、3D映像を受信あるいは映像記録装置から入力し、映像表示部に3D映像を表示する機能を持つものとする。そのため、3Dメガネを動作させるための左右(L/R)切替同期信号の生成を行っている。
【００２１】
また、3Dメガネからデジタル放送受信機器への経路として、3Dメガネに内蔵されるバッテリーのステータス情報を無線・有線・その他の方法で送信する機能を持つ。また、制御部および映像記録装置の間には、制御部から映像記録装置へは映像記録装置の再生・停止等の制御信号、映像記録装置から制御部へは、再生する映像コンテンツの再生時間を伝達可能である。
【００２２】
また、制御部から映像出力部に対しては、2Dと3Dの切替信号を出力し、映像出力部において2D出力あるいは3D出力信号を選択する機能を持つことができる。3D映像コンテンツの入力方法としては、デジタル放送、あるいは固定ディスク装置やBlu-ray(R)などの外部記憶装置を利用することを想定する。
【００２３】
図２は、上記デジタルテレビジョン放送受信装置１１の信号処理系を概略的に示している。すなわち、アンテナ２２で受信したデジタルテレビジョン放送信号は、入力端子２３を介して選局復調部（デジタルチューナ）２４に供給される。この選局復調部２４は、入力されたデジタルテレビジョン放送信号から所望のチャンネルの信号を選局し、その選局した放送信号に復調処理を施してＴＳ（transport stream）を生成している。
【００２４】
そして、この選局復調部２４から出力されたＴＳは、ＴＳ分離部２５に供給されて映像成分と音声成分とに分離される。このうち、映像成分は、映像デコーダ２６によりデコード処理が施されて元のデジタルの映像信号に復元された後、映像フレームバッファ２７に格納される。この映像フレームバッファ２７に格納された映像信号は、フレーム単位で映像出力部２８に読み出され、後述する所定の信号処理が施された後、映像表示部である上記液晶表示パネル１５に供給されて映像表示に供される。
【００２５】
また、上記ＴＳ分離部２５で分離された音声成分は、音声バッファ２９に一旦格納された後、音声出力部３０に読み出されて所定の信号処理が施される。そして、この音声出力部３０から出力された音声成分は、音声デコーダ３１によりデコード処理が施されて元のデジタルの音声データに復元された後、アナログ化されて上記スピーカ１６により音声再生に供される。
【００２６】
なお、このデジタルテレビジョン放送受信装置１１は、記憶装置３４を備えている。この記憶装置３４には、例えばＤＶＤ（digital versatile disk）等の光ディスクに対して記録再生を行なう光ディスク記録再生機器や外付けＨＤＤ（hard disk drive）等のような、外部の記録再生機器の形態のものもある。この記憶装置３４から出力されたＴＳは、上記ＴＳ分離部２５に供給される。そして、ＴＳ分離部２５は、選局復調部２４から供給されるＴＳと記憶装置３４から供給されるＴＳとのいずれか一方を選択して、映像成分と音声成分とに分離するように動作する。
【００２７】
ここで、このデジタルテレビジョン放送受信装置１１は、上記した各種の受信動作を含む種々の動作を制御部３３によって統括的に制御されている。この制御部３３は、ＣＰＵ（central processing unit）３３ａを内蔵しており、上記操作部１７からの操作情報、または、上記リモートコントローラ１８から送信され受光部１９で受信された操作情報を操作コマンド処理部３３ｃが受けることによって、その操作内容が反映されるように各部をそれぞれ制御している。
【００２８】
この場合、制御部３３は、メモリ部３３ｂを利用している。このメモリ部３３ｂは、主として、ＣＰＵ３３ａが実行する制御プログラムを格納したＲＯＭ（read only memory）と、該ＣＰＵ３３ａに作業エリアを提供するためのＲＡＭ（random access memory）と、各種の設定情報及び制御情報等が格納される不揮発性メモリとを有している。
【００２９】
ここで、上記映像出力部２８は、映像フレームバッファ２７からフレーム単位で供給された映像信号が通常の２次元表示用の映像信号である場合には、その映像信号に対して液晶表示パネル１５で表示可能なフレーム倍速変換処理を施した後、液晶表示パネル１５に供給して映像表示させる。
【００３０】
上記映像出力部２８は、映像フレームバッファ２７からフレーム単位で供給された映像信号が立体視用の映像信号である場合には、その映像信号から右目用映像信号と左目用映像信号とをそれぞれ生成し、それらの映像信号を交互に液晶表示パネル１５に出力して映像表示に供させる。
【００３１】
また、このとき、映像出力部２８は、右目用映像を映像表示している期間と、左目用映像を映像表示している期間とをそれぞれ示すシャッタ制御信号ＳＣを生成し、出力端子３７を介して上記立体視用眼鏡１２に出力している。
【００３２】
このため、上記立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識されることになる。
【００３３】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、容易に行なうことができる。
【００３４】
また、上記立体視用眼鏡１２は、先に述べたように、蓄電量を検出するための蓄電量検出部２１を備えている。
そして、この蓄電量検出部２１は、無線により蓄電量検出信号ＣＤを送信しており、送信された蓄電量検出信号ＣＤはバッテリー容量情報受信部３７に受信されている。バッテリー容量情報受信部３７が受信した蓄電量を示す蓄電量検出信号ＣＤが正常なときには、その映像信号から右目用映像信号と左目用映像信号とをそれぞれ制御部３３は映像出力部２８に生成させ、それらの映像信号を交互に液晶表示パネル１５に映像表示させて立体視映像表示を実行する。
【００３５】
また、蓄電量検出信号ＣＤが正常でないときには、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００３６】
図3は、記録された映像ストリームを再生する際に、3Dメガネのバッテリー容量を確認する際のフローチャートである。まず、コンテンツ再生システムにおいてコンテンツ再生準備を行う（ステップＳ３１）。この際に再生するコンテンツのストリーム再生時間を取得する。次に、3Dメガネ装置のバッテリーのステータスをメガネから取得し、現状のバッテリーにおける3Dメガネの使用可能時間を取得する（ステップＳ３２）。再生ストリームの再生時間とバッテリーの使用可能時間を比較する（ステップＳ３３）。バッテリーの使用可能時間の方が短くない場合には通常通り映像ストリームの再生を行う（ステップＳ３４）。一方、バッテリーの使用可能時間の方が短い場合は、映像ストリーム再生中に3Dメガネのバッテリーが使用できなくなる可能性が高いため、電池を交換、あるいは充電することを促す旨の警告を画面に表示する（ステップＳ３５）。映像システムの使用者は、これに対応して、3Dメガネのバッテリー交換あるいは充電を行う（ステップＳ３６）。これを実施し、ユーザによる確認、あるいは電池装着を自動的に検知することで映像ストリームの再生を開始する（ステップＳ３４）。以下の図で図３と共通する部分は説明を省略する。
【００３７】
図4は、記録された映像ストリームを再生中に、3Dメガネのバッテリーが消耗し、3Dメガネが使用できなくなった際のフローチャートについて示す。3Dメガネのバッテリーが消耗した場合（ステップＳ４１のYES）に映像コンテンツの再生を中断し（ステップＳ４２）、電池を交換、あるいは充電することを促す旨の警告を画面に表示する（ステップＳ４３）。映像システムの使用者は、これに対応して、3Dメガネのバッテリー交換あるいは充電を行う（ステップＳ４４）。これを実施し、ユーザによる確認、あるいは電池装着を自動的に検知することで映像ストリームの再生を再開する。
【００３８】
図5は記録された映像ストリームを再生中に、3Dメガネのバッテリーが消耗し、3Dメガネが使用できなくなった際、3D表示から2D表示に切り替える場合のフローチャートについて示す。3Dメガネのバッテリーが消耗した場合（ステップＳ５１のYES）に再生している3Dの映像コンテンツを制御部から切替信号を映像出力部に出力することで2D表示に切り替え（ステップＳ５２）、電池を交換、あるいは充電することを促す旨の警告を画面に表示する（ステップＳ５３）。2D表示ストリームにたいしてオーバーレイ表示の警告を出しても良いし、ウィンドウを表示する形にしても良いし、警告の仕方は問わない。映像システムの使用者は、これに対応して、3Dメガネのバッテリー交換あるいは充電を行う（ステップＳ５４）。これを実施し、ユーザによる確認、あるいは電池装着を自動的に検知、制御部から切替信号を映像出力部に出力することで2D表示から3D表示へ自動的に表示を切り替える（ステップＳ５５）。
【００３９】
図6は放送波等の映像を視聴中に、3Dメガネのバッテリーが消耗し、3Dメガネが使用できなくなった際、視聴映像をタイムシフト録画実施する際のフローチャートについて示す。3Dメガネのバッテリーが消耗した場合（ステップＳ６１のYES）に、まず視聴している映像を映像記憶装置で記録開始する（ステップＳ６２）。(タイムシフト録画)
【００４０】
次に表示している放送波等の映像を停止し（ステップＳ６３）、電池を交換、あるいは充電することを促す旨の警告を画面に表示する（ステップＳ６４）。映像システムの使用者は、これに対応して、3Dメガネのバッテリー交換あるいは充電を行う（ステップＳ６５）。これを実施し、ユーザによる確認、あるいは電池装着を自動的に検知したのち、映像出力を映像記録装置からのタイムシフト録画の再生映像信号に自動的に表示を切り替える（ステップＳ６６）。
【００４１】
本実施形態を実施することに対するメリットは以下の通りである。
（１）コンテンツ再生前に3Dメガネのバッテリーの持続時間を確認することにより、コンテンツ視聴中に3Dメガネのバッテリー切れによる視聴の中断を防ぐことができる。
【００４２】
（２）コンテンツ再生中に3Dメガネのバッテリーが切れた場合に、通常は3Dコンテンツを再生したまま3Dメガネが動作しなくなり、3Dメガネのバッテリーが切れた時点まで再生を戻す必要があるが、本実施形態により3Dメガネのバッテリーが復旧した際にバッテリーが切れた時点から自動的に再生が可能となる。
【００４３】
（３）コンテンツ再生中に3Dメガネのバッテリーが切れた場合に、通常は3Dコンテンツを再生したまま3Dメガネが動作しなくなり、3Dメガネのバッテリーが切れた時点まで再生を戻す必要があるが、本実施形態によりバッテリー交換作業中は2Dに映像が切り替わるため、3Dメガネを使用せずコンテンツを見ることができ、3Dメガネのバッテリーが復旧した際にバッテリーが切れた時点から自動的に3D再生が可能となる。
【００４４】
（４）3D放送を視聴中に3Dメガネのバッテリーが切れた場合に、通常はメガネが使用できず、3D放送をメガネなしで視聴することになってしまうが、本実施形態によりバッテリー交換作業中は自動的にタイムシフト録画が開始されるため、3Dメガネのバッテリーが復旧した際にバッテリーが切れた時点の放送から自動的に3D放送の視聴が可能となる。
【００４５】
（第２の実施形態）
本発明による第２の実施形態を図１及び図３乃至図８を参照して説明する。実施形態１と共通する部分は説明を省略する。
図７は、デジタル放送受信装置の映像出力部２８の他の一例を説明するために示すブロック構成図である。解析部４９を備えることにより上記メリットのうち、（１）と（３）に対しては有用である。
【００４６】
即ち、この蓄電量検出部２１は、無線により蓄電量検出信号ＣＤを送信しており、送信された蓄電量検出信号ＣＤは映像出力部２８に受信されている。この映像出力部２８は、映像フレームバッファ２７から供給された映像信号が立体視用の映像信号であって、蓄電量を示す蓄電量検出信号ＣＤが正常なときには、その映像信号から右目用映像信号と左目用映像信号とをそれぞれ生成し、それらの映像信号を交互に液晶表示パネル１５に映像表示させて立体視映像表示を実行する。
【００４７】
また、この映像出力部２８は、蓄電量検出信号ＣＤが正常でないときには、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００４８】
映像フレームバッファ２７から供給された映像信号は、入力端子３８を介して、３次元２次元変換部３９及び左右映像分離部４０にそれぞれ供給されている。
このうち、３次元２次元変換部３９は、通常の２次元表示用の映像信号が入力されたとき、その映像信号をそのまま後段の倍速変換部４１に出力する。また、この３次元２次元変換部３９は、立体視用の映像信号が入力されたとき、その映像信号を２次元表示用の映像信号に変換して倍速変換部４１に出力する。そして、この倍速変換部４１は、入力された２次元表示用の映像信号に対して、例えばフレーム間の動きベクトルを利用した補間フレームを作成する等の手法により、液晶表示パネル１５で表示可能なフレーム倍速変換処理を施し、セレクタ４２の一方の入力端に出力している。
【００４９】
また、上記左右映像分離部４０は、立体視用の映像信号が入力されたとき、その映像信号を右目用映像信号と左目用映像信号とに分離し、それらの映像信号を倍速で交互に左右クロストーク防止部４３に出力する。この左右クロストーク防止部４３は、交互に入力される右目用映像信号と左目用映像信号との間に黒映像信号を挿入して、右目用映像と左目用映像との切り替わり時の干渉（クロストーク）を防止する処理を施した後、セレクタ４２の他方の入力端に出力している。
【００５０】
具体的に言えば、今、図８（ａ）に示すような、右目用映像信号（Ｒ）と左目用映像信号（Ｌ）とが合成された立体視用の映像信号（Ｒ／Ｌ）が、フレーム周波数６０Ｈｚで入力端子３８に供給されるとする。
【００５１】
すると、左右映像分離部４０は、図８（ｂ）に示すように、入力された立体視用の映像信号（Ｒ／Ｌ）を右目用映像信号（Ｒ）と左目用映像信号（Ｌ）とに分離し、フレーム周波数を倍速（この場合、１２０Ｈｚ）にして左右クロストーク防止部４３に出力する。この左右クロストーク防止部４３は、図８（ｃ）に示すように、入力された右目用映像信号（Ｒ）と左目用映像信号（Ｌ）との間に黒映像信号を挿入し、フレーム周波数をさらに倍速（この場合、２４０Ｈｚ）にして、セレクタ４２の他方の入力端に出力している。
【００５２】
また、上記３次元２次元変換部３９は、図８（ａ）に示した立体視用の映像信号（Ｒ／Ｌ）を、図８（ｄ）に示すような、同じフレーム周波数（この場合、６０Ｈｚ）を有する２次元表示用の映像信号に変換して倍速変換部４１に出力する。すると、この倍速変換部４１は、図８（ｅ）に示すように、入力された２次元表示用の映像信号に対して、フレーム補間等によりフレーム周波数を４倍（つまり、２４０Ｈｚ）に変換する処理を施して、セレクタ４２の一方の入力端に出力している。
【００５３】
そして、上記セレクタ４２は、倍速変換部４１及び左右クロストーク防止部４３からそれぞれ供給される映像信号を、後述する選択信号生成部４４から出力される選択信号に基づいて選択し、その選択した映像信号を映像出力処理部４５に出力している。この映像出力処理部４５は、入力された映像信号に対して上記液晶表示パネル１５での映像表示に供させるための所定の信号処理を施し、出力端子４６を介して液晶表示パネル１５に出力している。
【００５４】
また、上記映像出力処理部４５は、入力された映像信号が立体視用の映像信号である場合に、右目用映像を映像表示している期間と、左目用映像を映像表示している期間とをそれぞれ示すシャッタ制御信号ＳＣを生成し、出力端子４７を介して上記立体視用眼鏡１２に出力している。
【００５５】
このため、上記立体視用眼鏡１２は、映像出力処理部４５から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識されることになる。
【００５６】
また、この立体視用眼鏡１２が備えられた蓄電量検出部２１から無線により出力される蓄電量検出信号ＣＤは、映像出力部２８内の受信部４８に受信される。この受信部４８に受信された蓄電量検出信号ＣＤは、解析部４９に供給されて、例えばこの蓄電量からバッテリー持続時間を算出されるか、バッテリー切れであるか否かを判断される。なおバッテリー持続時間を算出する機能は蓄電量検出部２１側に持たせてもよい。
【００５７】
そして例えば、この解析部４９は、バッテリー切れでないと判断した場合には、上記選択信号生成部４４に対して、左右クロストーク防止部４３から出力される映像信号を映像信号処理部４５に導くようにセレクタ４２を切り替える選択信号を発生させる。また、この解析部４９は、バッテリー切れであると判断した場合には、上記選択信号生成部４４に対して、倍速変換部４１から出力される映像信号を映像信号処理部４５に導くようにセレクタ４２を切り替える選択信号を発生させる。
【００５８】
上記した映像出力部２８によれば、立体視用の映像信号を液晶表示パネル１５での映像表示に供させている状態で、バッテリー切れであると、自動的に立体視用の映像信号を２次元表示用に変換した映像信号が液晶表示パネル１５での映像表示に供されるようになる。また、バッテリー切れでないと、自動的に立体視用の映像信号が液晶表示パネル１５での映像表示に供され、ユーザが立体視映像を認識することができるようになる。
【００５９】
すなわち、バッテリー切れでない場合には、立体視用の映像信号による映像表示が行なわれ、バッテリー切れである場合には、２次元表示用の映像信号による映像表示が行なわれるように、自動的に切り替えられるようになる。このため、ユーザにとっての取り扱いを便利にすることができ、実用化に好適するものとなる。
【００６０】
また、立体視用の映像信号を液晶表示パネル１５での映像表示に供する場合には、立体視用の映像信号から分離した右目用映像信号と左目用映像信号との間に黒映像信号を挿入して、右目用映像と左目用映像との切り替わり時のクロストークを防止するという、立体視用の映像信号に特有の信号処理を施して、立体視表示映像の品質を高めるようにしている。
【００６１】
さらに、２次元表示用に変換した映像信号を液晶表示パネル１５での映像表示に供する場合には、その２次元表示用の映像信号に対して液晶表示パネル１５で表示可能なフレーム倍速変換処理を施しているので、液晶表示パネル１５の持つ性能を十分に発揮させることができるようになって、２次元表示用の映像信号に対しても表示映像の品質を高めることができる。
【００６２】
以上の実施形態では、メガネ装置を利用して3次元映像を視聴するシステムにおいて、そのメガネの電源が電池(バッテリー)によって駆動される場合において、次のシステムを説明した。
【００６３】
（１）映像の再生前にメガネ装置の電池の残り時間と映像の再生時間を比較し、電池残り時間の方が映像の再生時間に比べて短いと判断された場合に、映像再生前に電池残り時間に関する警告を表示させる特徴を持つ映像システム。
【００６４】
（２）映像の再生中にメガネ装置の電池が消耗した場合に、自動的に映像の再生を停止し、メガネの電池交換あるいは充電が完了すると映像の再生を自動的に再開する特徴を持つ映像システム。
【００６５】
（３）映像の再生中にメガネ装置の電池が消耗した場合に、自動的に再生している映像を3Dから2D映像に切り替え、メガネの電池交換あるいは充電が完了すると、再生している2D映像を自動的に3D表示に戻す特徴を持つ映像システム。
【００６６】
（４）放送波のようなリアルタイム3D映像の視聴中にメガネ装置の電池が消耗した場合に、自動的に視聴している映像をタイムシフト録画し、メガネの電池交換あるいは充電が完了した時点から自動的に3D映像の視聴を再開する特徴を持つ映像システム。
【００６７】
なお（１）乃至（４）のポイントに関しては、3D表示が可能であれば、特に映像表示部の方式は影響しない。液晶パネルでも良いし、プラズマパネルでも良いし、ブラウン管(CRT)でも構わない。
【００６８】
なお、この発明は上記実施形態に限定されるものではなく、この外その要旨を逸脱しない範囲で種々変形して実施することができる。デジタル放送受信機器(コンテンツ保存可能なものを含む)についての実施形態であるが、映像表示部の存在しない機器(例えば、Blu-ray機器やHDDレコーダ)に3D表示・3D出力機能が付随する場合にも本発明は適用できる。
【００６９】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００７０】
１１…デジタルテレビジョン放送受信装置、１２…立体視用眼鏡、１３…キャビネット、１４…支持台、１５…液晶表示パネル、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像デコーダ、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３７…出力端子、３８…入力端子、３９…３次元２次元変換部、４０…左右映像分離部、４１…倍速変換部、４２…セレクタ、４３…左右クロストーク防止部、４４…選択信号生成部、４５…映像出力処理部、４６…出力端子、４７…出力端子、４８…受信部、４９…解析部。
【図１】
2012034234.tif 000003
【図２】
2012034234.tif 000004
【図３】
2012034234.tif 000005
【図４】
2012034234.tif 000006
【図５】
2012034234.tif 000007
【図６】
2012034234.tif 000008
【図７】
2012034234.tif 000009
【図８】
2012034234.tif 000010
【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
入力された複数の映像を含む映像信号に信号処理を施す処理手段と、
前記複数の映像視聴用眼鏡のバッテリー持続時間が前記映像信号の元となるコンテンツの再生時間より少なくなると、前記処理手段で信号処理の施された映像信号の出力を停止しバッテリー交換またはバッテリー充電を求める警告表示を行なう制御手段とを
具備する映像再生装置。
【請求項２】
前記制御手段は、前記警告表示が行われたのちにバッテリー交換またはバッテリー充電が行なわれたと判定したとき、前記信号処理が前記処理手段によって実施された前記映像信号の出力を再開する請求項１に記載の映像再生装置。
【請求項３】
入力された複数の映像を含む映像信号に複数の映像表示に対応する信号処理を施す第１の処理手段と、
入力された複数の映像を含む映像信号を単数の映像の映像信号に変換して単数の映像表示に対応する信号処理を施す第２の処理手段と、
前記複数の映像視聴用眼鏡の電池蓄電量が低下した旨を示す検出信号を受信したとき前記第１の処理手段で信号処理の施された映像信号の出力を停止することと、前記第１の処理手段で信号処理の施された映像信号に代えて、前記第２の処理手段で信号処理の施された映像信号を出力することとのいずれか一方を行ない、前記複数の映像視聴用眼鏡の電池蓄電量が低下していない旨を示す検出信号を受信したとき前記第１の処理手段で信号処理の施された映像信号を出力することを行なう制御手段とを
具備する映像再生装置。
【請求項４】
前記制御手段は、停止または切替の後にバッテリー交換またはバッテリー充電が行なわれたと判定すると、前記信号処理が前記処理手段によって実施された前記映像信号の出力を再開する請求項３に記載の映像再生装置。
【請求項５】
３次元映像信号に３次元映像表示のために信号処理を施す処理手段と、
３次元眼鏡の電池蓄電量が低下した旨を示す検出信号を受信したとき、前記信号処理の施された映像信号の出力に代えて、前記信号処理が実施された映像信号のタイムシフト録画を開始する制御手段とを
具備する映像再生装置。
【請求項６】
前記制御手段は、前記タイムシフト録画の開始後にバッテリー交換またはバッテリー充電が行なわれたと判定したとき、前記タイムシフト録画によって録画された前記映像信号の出力を開始する請求項５に記載の映像再生装置。
【請求項７】
複数の映像を含む映像信号に信号処理を施し、
前記複数の映像を含む映像信号を見るための眼鏡のバッテリー持続時間が前記映像信号の元となるコンテンツの再生時間より少ないと判定したとき、前記信号処理が実施された映像信号の出力を停止し、前記眼鏡のバッテリー交換またはバッテリー充電を求める警告表示を行なう映像再生方法。